(57)【要約】【課題】  映像機器にバインドされるコンテンツと、映像機器にバインドされないコンテンツとを記録可能であり、複数の記録装置の使い分けを要さない記録装置及び記録方法の提供を目的とする。【解決手段】  記録装置１は、機器バインドされるコンテンツである第１形式コンテンツ１２１を、機器バインドされないコンテンツである第２形式コンテンツ１２２に変換する形式変換処理部３７と、第１管理情報と、第２管理情報とを記録媒体１０１に記録可能であり、前記第１管理情報により前記第１形式コンテンツ１２１を前記記録媒体１０１から読出し可能であり、前記第２管理情報により前記第２形式コンテンツ１２２を前記記録媒体１０１から読出し可能である記録制御処理部と、を有する。【選択図】図１
2017021879.tif 000002
【特許請求の範囲】
【請求項１】
機器バインドされるコンテンツである第１形式コンテンツを、機器バインドされないコンテンツである第２形式コンテンツに変換する形式変換処理部と、
前記第１形式コンテンツと、前記第１形式コンテンツの管理情報である第１管理情報と、前記第２形式コンテンツと、前記第２形式コンテンツの管理情報である第２管理情報とを記録媒体に記録可能であり、前記第１管理情報により前記第１形式コンテンツを前記記録媒体から読出し可能であり、前記第２管理情報により前記第２形式コンテンツを前記記録媒体から読出し可能である記録制御処理部と、
を有する記録装置。
【請求項２】
表示部を有し、
記録された前記第１形式コンテンツと、記録された前記第２形式コンテンツとを含むコンテンツ一覧表を、前記表示部に表示可能である、
請求項１に記載の記録装置。
【請求項３】
前記コンテンツ一覧表は、前記第２形式コンテンツに識別記号を付加させたことを特徴とする請求項２に記載の記録装置。
【請求項４】
前記表示部に表示された前記コンテンツ一覧表により、再生させるコンテンツを選択入力可能である、請求項２に記載の記録装置。
【請求項５】
記録された前記第１形式コンテンツのみが含まれる第１形式コンテンツ一覧表を、前記表示部に表示可能であり、
前記第１形式コンテンツ一覧表により、前記第２形式コンテンツに変換させる前記第１形式コンテンツを選択入力可能である、
請求項２に記載の記録装置。
【請求項６】
前記記録媒体は、外部接続される外部記録媒体である、
請求項２に記載の記録装置。
【請求項７】
前記外部記録媒体に記録された前記第１形式コンテンツは、前記表示部により再生可能であり、
前記外部記録媒体に記録された前記第２形式コンテンツは、前記表示部、又は、前記外部記録媒体に接続された他の再生機器により再生可能である、
請求項６に記載の記録装置。
【請求項８】
機器バインドされるコンテンツである第１形式コンテンツと、前記第１形式コンテンツの管理情報である第１管理情報と、を記録媒体に記録し、
前記第１管理情報により前記第１形式コンテンツを前記記録媒体から読み出し、
形式変換処理部により、前記第１形式コンテンツを、機器バインドされないコンテンツである第２形式コンテンツに変換し、
前記第２形式コンテンツと、前記第２形式コンテンツの管理情報である第２管理情報とを前記記録媒体に記録する、
記録方法。
【発明の詳細な説明】
【技術分野】
【０００１】
本発明の実施形態は、記録装置及び記録方法に関する。
【背景技術】
【０００２】
映像コンテンツを録画する技術の一つとして、ダビング１０技術と、ＳｅｅＱＶａｕｌｔ（登録商標、以下「ＳＱＶ」という）技術とが知られている。
【０００３】
ダビング１０は、テレビジョン受信機等の映像機器内のチューナを介して記録された、地上デジタルテレビ放送又はＢＳデジタル放送の映像コンテンツに対し、コピーを９回まで、ムーブ（移動元の映像コンテンツを削除する移動）を１回までに制限する技術である。
【０００４】
ダビング１０により、外部のハードディスクドライブ（以下「外部ＨＤＤ」という）に、映像機器から映像コンテンツを記録するには、外部ＨＤＤが、当該映像機器のみに使用できるように登録されていなければならない。そして、ダビング１０により、映像コンテンツが、映像機器から外部ＨＤＤに記録されると、記録された映像コンテンツは、他の映像機器では再生できないように、当該映像機器にバインドされる。
【０００５】
一方、ＳＱＶにより、ＳＱＶ対応の映像機器から、ＳＱＶ対応の外部ＨＤＤに映像コンテンツが記録されると、記録された映像コンテンツは、映像機器にバインドされず、他のＳＱＶ対応の映像機器でも再生できる。
【０００６】
しかし、ＳＱＶにより記録された映像コンテンツは、ＳＱＶ対応機器に対するムーブのみができ、コピーができない。
【０００７】
また、ＳＱＶは、ハイビジョン又はＨＤと称する２Ｋ（１９２０×１０８０画素等）の映像コンテンツには対応されているものの、４Ｋ（３８４０×２１６０画素等）の映像コンテンツには対応されていない。
【０００８】
したがって、ユーザは、映像コンテンツをコピーできるように記録したいとき、又は、４Ｋの映像コンテンツを記録したいときには、映像機器専用に登録される外部ＨＤＤを要し、一方、他の映像機器でも再生できるように映像コンテンツを記録したいときには、ＳＱＶに対応する外部ＨＤＤを要する。その結果、ユーザは複数の外部ＨＤＤの使い分けを要し、映像コンテンツの記録作業が煩雑である。
【先行技術文献】
【特許文献】
【０００９】
【特許文献１】特開２００５−３８０６５号公報
【発明の概要】
【発明が解決しようとする課題】
【００１０】
そこで、実施形態は、映像機器にバインドされるコンテンツと、映像機器にバインドされないコンテンツとを、１つの記録装置に記録可能であり、複数の記録装置の使い分けを要さない記録装置及び記録方法の提供を目的とする。
【課題を解決するための手段】
【００１１】
実施形態の記録装置は、機器バインドされるコンテンツである第１形式コンテンツを、機器バインドされないコンテンツである第２形式コンテンツに変換する形式変換処理部と、前記第１形式コンテンツと、前記第１形式コンテンツの管理情報である第１管理情報と、前記第２形式コンテンツと、前記第２形式コンテンツの管理情報である第２管理情報とを記録媒体に記録可能であり、前記第１管理情報により前記第１形式コンテンツを前記記録媒体から読出し可能であり、前記第２管理情報により前記第２形式コンテンツを前記記録媒体から読出し可能である記録制御処理部と、を有する。
【００１２】
実施形態の記録方法は、機器バインドされるコンテンツである第１形式コンテンツと、前記第１形式コンテンツの管理情報である第１管理情報と、を記録媒体に記録し、前記第１管理情報により前記第１形式コンテンツを前記記録媒体から読み出し、形式変換処理部により、前記第１形式コンテンツを、機器バインドされないコンテンツである第２形式コンテンツに変換し、前記第２形式コンテンツと、前記第２形式コンテンツの管理情報である第２管理情報とを前記記録媒体に記録する。
【図面の簡単な説明】
【００１３】
【図１】実施形態に関わる、記録装置の主要部のブロック図である。
【図２】実施形態に関わる、記録装置の外部ＨＤＤのファイル構造を説明する図である。
【図３】実施形態に関わる、記録装置のダビング１０によるＰＶＲ形式コンテンツの録画処理の流れを示すフローチャートである。
【図４】実施形態に関わる、記録装置のＳＱＶ形式コンテンツの録画処理の流れを示すフローチャートである。
【図５】実施形態に関わる、記録装置の形式変換処理の流れを示すフローチャートである。
【図６】実施形態に関わる、記録装置のＰＶＲ形式コンテンツ一覧の表示例を示す図である。
【図７】実施形態に関わる、記録装置の形式変換処理の確認メッセージ例を示す図である。
【図８】実施形態に関わる、記録装置の形式変換処理の確認メッセージ例を示す図である。
【図９】実施形態に関わる、記録装置の形式変換処理の処理画面例を示す図である。
【図１０】実施形態に関わる、記録装置の形式変換処理の確認メッセージ例を示す図である。
【図１１】実施形態に関わる、記録装置の映像コンテンツ一覧の表示処理の流れを示すフローチャートである。
【図１２】実施形態に関わる、記録装置の映像コンテンツ一覧の表示例を示す図である。
【発明を実施するための形態】
【００１４】
（実施形態）
以下、図面を参照して実施形態を説明する。
【００１５】
（構成）
図１は、実施形態に関わる、記録装置１の主要部のブロック図である。図２は、実施形態に関わる、記録装置１の外部ＨＤＤ１０１のファイル構造を説明する図である。なお、図１においては、記録装置１の主要部以外の構成については、省略している。
【００１６】
図１に示すように、記録装置１の主要部は、テレビジョン受信機２と、テレビジョン受信機２に着脱自在に接続される外部記録媒体である外部ＨＤＤ１０１とを有して構成される。テレビジョン受信機２は、ＢＳ／ＣＳデジタル放送受信用アンテナ３ａと、地上波放送受信用アンテナ３ｂに接続される。
【００１７】
テレビジョン受信機２は、放送受信部１１と、信号処理部２１と、制御部３１と、映像音声出力部４１と、インターフェイス（以下「Ｉ／Ｆ」という）部５１とを有して構成される。
【００１８】
放送受信部１１は、入力端子１２ａ、１２ｂと、チューナ１３ａ、１３ｂと、ＰＳＫ復調器１４ａと、ＯＦＤＭ復調器１４ｂと、ＴＳ復号器１５ａ、１５ｂとを有して構成される回路である。
【００１９】
入力端子１２ａは、ＢＳ／ＣＳデジタル放送受信用アンテナ３ａに接続され、ＢＳ／ＣＳデジタル放送受信用アンテナ３ａで受信した衛星デジタルテレビジョン放送信号を衛星デジタル放送用のチューナ１３ａに供給する。
【００２０】
チューナ１３ａは、後述する制御部３１からの制御信号により所望のチャンネルの放送信号を選局し、この選局された放送信号をＰＳＫ（Ｐｈａｓｅ  Ｓｈｉｆｔ  Ｋｅｙｉｎｇ）復調器１４ａに出力する。
【００２１】
ＰＳＫ復調器１４ａは、制御部３１からの制御信号により、チューナ１３ａで選局された放送信号を復調し、所望の番組を含んだトランスポートストリームを得て、ＴＳ復号器１５ａに出力する。
【００２２】
ＴＳ復号器１５ａは、制御部３１からの制御信号により、トランスポートストリームのＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を、信号処理部２１に出力する。
【００２３】
ＴＳ復号器１５ａは、デジタル放送により送られているセクション情報を信号処理部２１内の図示しないセクション処理部に出力する。
【００２４】
入力端子１２ｂは、地上波放送受信用アンテナ３ｂに接続され、地上波放送受信用アンテナ３ｂで受信した地上デジタルテレビジョン放送信号を、地上デジタル放送用のチューナ１３ｂに供給する。
【００２５】
チューナ１３ｂは、制御部３１からの制御信号により所望のチャンネルの放送信号を選局し、この選局された放送信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器１４ｂに出力する。
【００２６】
ＯＦＤＭ復調器１４ｂは、制御部３１からの制御信号により、チューナ１３ｂで選局された放送信号を復調し、所望の番組を含んだトランスポートストリームを得て、ＴＳ復号器１５ｂに出力する。
【００２７】
ＴＳ復号器１５ｂは、制御部３１からの制御信号によりトランスポートストリームのＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部２１に出力する。
【００２８】
ＴＳ復号器１５ｂは、デジタル放送により送られているセクション情報を信号処理部２１内のセクション処理部に出力する。
【００２９】
信号処理部２１は、テレビ視聴時には、ＴＳ復号器１５ａ、１５ｂからそれぞれ入力されるデジタルの映像信号及び音声信号に対して、所定のデジタル信号処理を施し、映像音声出力部４１に出力する回路である。
【００３０】
信号処理部２１は、映像コンテンツ再生時には、制御部３１から入力された映像コンテンツ信号に対して、所定のデジタル信号処理を施し、映像音声出力部４１に出力する。
【００３１】
信号処理部２１は、映像コンテンツ録画時には、ＴＳ復号器１５ａ、１５ｂからそれぞれ入力されたデジタルの映像信号及び音声信号に対して、所定のデジタル信号処理を施し、映像コンテンツ信号を制御部３１に出力する。
【００３２】
信号処理部２１内のセクション処理部は、ＴＳ復号器１５ａ、１５ｂから入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を制御部３１に出力する。
【００３３】
Ｉ／Ｆ部５１は、ＵＳＢＩ／Ｆ、ネットワーク通信Ｉ／Ｆ、メモリカードＩ／Ｆ、リモートコントローラＩ／Ｆ等のＩ／Ｆを含んで構成される。Ｉ／Ｆ部５１は、制御部３１に接続される。
【００３４】
制御部３１は、中央処理装置（以下「ＣＰＵ」という）３２、ＲＯＭ３３及びＲＡＭ３４を有して構成される。ＲＯＭ３３は、映像コンテンツの処理に関する各種プログラムを含んで構成される。ＣＰＵ３２は、ＲＯＭ３３に格納された各種プログラムを読み出し、実行することにより、各種処理を実現可能である。
【００３５】
制御部３１は、Ｉ／Ｆ部５１に接続され、Ｉ／Ｆ部５１を介し、外部ＨＤＤ１０１、ネットワーク（不図示）及びメモリカード（不図示）との接続が可能であり、リモートコントローラ４の操作信号の受信が可能である。
【００３６】
制御部３１は、操作部６１に接続され、操作信号を受信可能である。
【００３７】
制御部３１は、チューナ１３ａ、１３ｂ、ＰＳＫ復調器１４ａ、ＯＦＤＭ復調器１４ｂ、ＴＳ復号器１５ａ、１５ｂに接続され、制御信号を送信可能である。
【００３８】
制御部３１は、信号処理部２１とグラフィック処理部４３に接続される。制御部３１は、信号処理部２１から、番組を取得するための各種データや電子番組ガイド（ＥＰＧ）情報、番組属性情報（番組ジャンル等）、字幕情報等（サービス情報、ＳＩやＰＳＩ）が入力され、ＥＰＧと字幕を表示するため画像生成処理を行い、生成された画像信号をグラフィック処理部４３に出力する。
【００３９】
制御部３１は、ＯＳＤ（Ｏｎ  Ｓｃｒｅｅｎ  Ｄｉｓｐｌａｙ）信号生成部４２に接続され、ＯＳＤ信号を生成するための制御信号を出力可能である。
【００４０】
制御部３１は、Ｉ／Ｆ部５１を介し、外部ＨＤＤ１０１に記録された映像コンテンツのコピープロテクトに関する情報を読み出すと共に、映像コンテンツのコピープロテクト情報を必要に応じて修正することが可能である。
【００４１】
ＲＯＭ３３は、映像コンテンツに関する各種プログラムの他、ＰＶＲ処理部３５、ＳＱＶ処理部３６、形式変換処理部３７及び記録制御処理部３８の各プログラムを含んで構成される。
【００４２】
ＰＶＲ処理部３５は、映像コンテンツの録画時には、信号処理部２１から入力される映像信号及び音声信号から、第１形式コンテンツであるＰＶＲ形式コンテンツ１２１を生成して外部ＨＤＤ１０１に記録し、また、映像コンテンツの再生時には、外部ＨＤＤ１０１に記録されたＰＶＲ形式コンテンツ１２１から再生信号を生成して信号処理部２１に送信する処理部である。
【００４３】
ＳＱＶ処理部３６は、映像コンテンツの録画時には、信号処理部２１から入力される映像信号及び音声信号から、第２形式コンテンツであるＳＱＶ形式コンテンツ１２２を生成して外部ＨＤＤ１０１に記録し、また、映像コンテンツの再生時には、ＳＱＶ形式コンテンツ１２２から再生信号を生成して信号処理部２１に送信する処理部である。
【００４４】
形式変換処理部３７は、機器バインドされる第１形式コンテンツであるＰＶＲ形式コンテンツ１２１を、機器バインドされない第２形式コンテンツであるＳＱＶ形式コンテンツ１２２に変換する処理部である。
【００４５】
記録制御処理部３８は、外部ＨＤＤ１０１における、ＰＶＲコンテンツ管理領域１１１とＳＱＶコンテンツ管理領域１１２を含む管理領域Ｋと、ＰＶＲ形式コンテンツ１２１とＳＱＶ形式コンテンツ１２２を記録するデータ領域Ｄとに対し、データの読取り及び書込みをする処理部である。
【００４６】
記録制御処理部３８は、第１形式コンテンツであるＰＶＲ形式コンテンツ１２１と、ＰＶＲ形式コンテンツ１２１の第１管理情報であるＰＶＲ管理情報と、第２形式コンテンツであるＳＱＶ形式コンテンツ１２２と、ＳＱＶ形式コンテンツ１２２の第２管理情報であるＳＱＶ管理情報とを外部ＨＤＤ１０１に記録可能であり、ＰＶＲ管理情報によりＰＶＲ形式コンテンツ１２１を外部ＨＤＤ１０１から読出し可能であり、ＳＱＶ管理情報によりＳＱＶ形式コンテンツ１２２を外部ＨＤＤ１０１から読出し可能である。  映像音声出力部４１は、ＯＳＤ信号生成部４２、グラフィック処理部４３、映像処理部４４及び音声処理部４６を有して構成される回路と、映像表示器４５と、スピーカ４７とを有して構成される。
【００４７】
ＯＳＤ信号生成部４２は、制御部３１から入力される制御信号に基づいて、各種メニュー表示をさせるためのＯＳＤ信号を生成し、グラフィック処理部４３に出力する。
【００４８】
グラフィック処理部４３は、信号処理部２１内から入力される映像信号と、ＯＳＤ信号生成部４２から入力されるＯＳＤ信号と、制御部３１により生成されたＥＰＧ、字幕を含む画像信号とを合成して映像信号を生成し、映像処理部４４に出力する。
【００４９】
映像処理部４４は、グラフィック処理部４３から入力される映像信号から表示信号に変換し、映像表示器４５に出力する。
【００５０】
表示部である映像表示器４５は、映像処理部４４から入力される表示信号に基づき、映像を表示する。
【００５１】
音声処理部４６は、信号処理部２１から入力される音声信号をスピーカ用信号に変換し、スピーカ４７に出力する。
【００５２】
スピーカ４７は、音声処理部４６から入力されるスピーカ用信号に基づき、音声を出力する。
【００５３】
映像音声出力部４１は、映像コンテンツの他、外部ＨＤＤ１０１に記録されたＰＶＲ形式コンテンツとＳＱＶ形式コンテンツとを含む映像コンテンツ一覧表、使用可能な外部ＨＤＤ１０１の一覧表又は各種確認画面等の表示が可能である。
【００５４】
外部記録媒体である外部ＨＤＤ１０１は、テレビジョン受信機２に対し、例えば、ＵＳＢ等により外部接続され、テレビジョン受信機２からデータの読取り及び書込みができるように構成される。
【００５５】
外部ＨＤＤ１０１は、ファイル構造として、ＰＶＲコンテンツ管理領域１１１とＳＱＶコンテンツ管理領域１１２を有する管理領域Ｋと、ＰＶＲ形式コンテンツ１２１とＳＱＶ形式コンテンツ１２２を記録可能であるデータ領域Ｄとを有して構成される。
【００５６】
外部ＨＤＤ１０１において、ダビング１０又は４Ｋの映像コンテンツは、ＰＶＲ形式コンテンツ１２１により記録され、また、ＳＱＶの映像コンテンツは、ＳＱＶ形式コンテンツ１２２により記録される。
【００５７】
第１形式コンテンツ管理領域であるＰＶＲコンテンツ管理領域１１１は、機器バインドされる映像コンテンツであるＰＶＲ形式コンテンツ１２１の管理情報であるＰＶＲ管理情報を格納する。ＰＶＲコンテンツ管理領域１１１に格納されるＰＶＲ管理情報は、外部ＨＤＤ１０１がバインドされる機器を示すバインド機器情報と、ＰＶＲ形式コンテンツ１２１に関する、番組名、記録日及びＰＶＲ形式コンテンツ１２１のデータ領域Ｄにおける格納位置を示す情報と、を含んで構成される。
【００５８】
バインド機器情報は、外部ＨＤＤ１０１がバインドされた映像機器（図１では、テレビジョン受信機２）を識別する情報を含んで構成される。バインド機器情報は、外部ＨＤＤ１０１を映像機器に登録して初期化される際に記録される。これにより、バインドされた映像機器は、外部ＨＤＤ１０１に記録された映像コンテンツを再生可能であり、一方、バインドされない映像機器は、外部ＨＤＤ１０１に記録された映像コンテンツを再生できない。
【００５９】
第２形式コンテンツ管理領域であるＳＱＶコンテンツ管理領域１１２は、機器バインドされない映像コンテンツであるＳＱＶ形式コンテンツ１２２の管理情報であるＳＱＶ管理情報を格納する。ＳＱＶコンテンツ管理領域１１２に格納されるＳＱＶ管理情報は、ＳＱＶ対応機器であることを認証するＳＱＶ認証情報と、ＳＱＶ形式コンテンツ１２２関する、番組名、記録日及びＳＱＶ形式コンテンツ１２２のデータ領域Ｄにおける格納位置を示す情報と、を含んで構成される。
【００６０】
ＳＱＶ認証情報は、ＳＱＶ対応の映像機器に対して、外部ＨＤＤ１０１がＳＱＶ対応機器であることを認証させる情報を含んで構成される。これにより、ＳＱＶ対応機器は、ＳＱＶ対応の外部ＨＤＤ１０１に記録された映像コンテンツを再生できる。
【００６１】
データ領域Ｄは、ＰＶＲ形式コンテンツ１２１とＳＱＶ形式コンテンツ１２２の各々を記録可能である。ＰＶＲ形式コンテンツ１２１は、番組名、記録日及びＰＶＲ形式により構成されることを示す情報を含むＰＶＲ付加情報１３１を有して構成される。ＳＱＶ形式コンテンツ１２２は、番組名、記録日及びＳＱＶ形式により構成されることを示す情報を含むＳＱＶ付加情報１３２を有して構成される。
【００６２】
（作用）
次に、実施形態に係る記録装置１の作用について説明をする。
【００６３】
記録装置１は、後述するＳ１からＳ６の処理により、ＰＶＲ形式コンテンツ１２１を記録可能である。
【００６４】
記録装置１は、後述するＳ１１からＳ１５の処理により、ＳＱＶ形式コンテンツ１２２を記録可能である。
【００６５】
記録装置１は、Ｓ１からＳ６の処理により、第１形式コンテンツであって機器バインドされるコンテンツであるＰＶＲ形式コンテンツ１２１と、ＰＶＲ形式コンテンツ１２１の管理情報であるＰＶＲ管理情報とを外部ＨＤ１０１に記録し、後述するＳ２１からＳ２９の形式変換処理により、ＰＶＲ管理情報によりＰＶＲ形式コンテンツ１２１を外部ＨＤ１０１から読み出し、形式変換処理部により、ＰＶＲ形式コンテンツ１２１を第２形式コンテンツであって機器バインドされないコンテンツであるＳＱＶ形式コンテンツ１２２に変換し、ＳＱＶ形式コンテンツ１２２と、ＳＱＶ形式コンテンツ１２２とを外部ＨＤ１０１に記録可能である。
【００６６】
図３は、実施形態に関わる、記録装置１のダビング１０によるＰＶＲ形式コンテンツ１２１の録画処理の流れを示すフローチャートである。
【００６７】
ＰＶＲ形式コンテンツ１２１の録画処理を説明する。
【００６８】
ユーザが、テレビジョン受信器の操作部６１を介し、ＰＶＲ形式による映像コンテンツの録画開始の指示をすると、制御部３１は、ＲＯＭ３３からＰＶＲ処理部３５のプログラムを読み込み、処理を開始する。
【００６９】
制御部３１は、外部ＨＤＤ１０１が、テレビジョン受信機２に登録されているか否かを判定する（ステップ（以下Ｓと略す）１）。Ｓ１では、外部ＨＤＤ１０１のＰＶＲコンテンツ管理領域１１１からバインド機器情報を取得し、外部ＨＤＤ１０１がテレビジョン受信機２に登録されているか否かを判定する。外部ＨＤＤ１０１が、テレビジョン受信機２に登録されていると判定されるとき、処理はＳ２に進む。一方、外部ＨＤＤ１０１が登録されていないと判定されるとき、処理を終了させる。なお、制御部３１は、映像表示器４５を介し、外部ＨＤＤ１０１が登録されていないことをユーザに告知し、外部ＨＤＤ１０１をテレビジョン受信機２に登録させてもよい。
【００７０】
制御部３１は、映像信号及び音声信号からＰＶＲ形式コンテンツ１２１を生成する（Ｓ２）。Ｓ２では、制御部３１は、放送受信部１１から、信号処理部２１を介し、映像信号及び音声信号を取得し、映像信号及び音声信号からＰＶＲ形式コンテンツ１２１を生成する。
【００７１】
制御部３１は、ＰＶＲ付加情報１３１をＰＶＲ形式コンテンツ１２１に付加する（Ｓ３）。
【００７２】
制御部３１は、外部ＨＤＤ１０１のＰＶＲコンテンツ管理領域１１１に、ＰＶＲ形式コンテンツ１２１のＰＶＲ管理情報を記録する（Ｓ４）。Ｓ４では、制御部３１は、記録制御処理部３８の処理により、ＰＶＲコンテンツ管理領域１１１に、ＰＶＲ形式コンテンツ１２１に関する、番組名、記録日及びデータ領域Ｄにおける格納位置を示すＰＶＲ管理情報を記録する。
【００７３】
制御部３１は、ＰＶＲ形式コンテンツ１２１を記録する（Ｓ５）。Ｓ５では、外部ＨＤＤ１０１のデータ領域Ｄにおいて、記録制御処理部３８の処理により、ＰＶＲ管理領域Ｋに記録された格納位置にＰＶＲ形式コンテンツ１２１を記録する。
【００７４】
制御部３１は、コピープロテクト情報を記録する（Ｓ６）。Ｓ６では、記録制御処理部３８の処理により、外部ＨＤＤ１０１の所定領域に、コピー回数を９回まで、ムーブ回数を１回までに制限する、ダビング１０のコピープロテクト情報を記録する。
【００７５】
Ｓ１からＳ６の処理が、ＰＶＲ処理部３５の処理を構成する。
【００７６】
図４は、実施形態に関わる、記録装置１のＳＱＶ形式コンテンツ１２２の録画処理の流れを示すフローチャートである。
【００７７】
ＳＱＶ形式コンテンツ１２２の録画処理を説明する。
【００７８】
ユーザが、テレビジョン受信器の操作部６１を介し、ＳＱＶ形式による映像コンテンツの録画開始の指示をすると、制御部３１は、ＲＯＭ３３からＳＱＶ処理部３６のプログラムを読み込み、処理を開始する。
【００７９】
制御部３１は、外部ＨＤＤ１０１が、ＳＱＶ対応機器であるか否かを判定する（Ｓ１１）。Ｓ１１では、外部ＨＤＤ１０１のＳＱＶコンテンツ管理領域１１２からＳＱＶ認証情報を取得し、外部ＨＤＤ１０１がＳＱＶ対応機器であるか否かを判定する。外部ＨＤＤ１０１が、ＳＱＶ対応機器であると判定されるとき、処理はＳ１２に進む。一方、例えば、ＳＱＶ認証情報を取得できない場合等、外部ＨＤＤ１０１がＳＱＶ対応機器ではないと判定されるとき、制御部３１は、処理を終了させる。
【００８０】
制御部３１は、映像信号及び音声信号からＳＱＶ形式コンテンツ１２２を生成する（Ｓ１２）。Ｓ１２では、制御部３１は、放送受信部１１から、信号処理部２１を介し、映像信号及び音声信号を取得し、映像信号及び音声信号からＳＱＶ形式コンテンツ１２２を生成する。
【００８１】
制御部３１は、ＳＱＶ付加情報１３２をＳＱＶ形式コンテンツ１２２に付加する（Ｓ１３）。
【００８２】
制御部３１は、外部ＨＤＤ１０１のＳＱＶコンテンツ管理領域１１２に、ＳＱＶ形式コンテンツ１２２のＳＱＶ管理情報を記録する（Ｓ１４）。Ｓ１４では、制御部３１は、記録制御処理部３８の処理により、ＳＱＶコンテンツ管理領域１１２に、ＳＱＶ形式コンテンツ１２２に関する、番組名、記録日及びデータ領域Ｄにおける格納位置を示すＳＱＶ管理情報を記録する。
【００８３】
制御部３１は、ＰＶＲ形式コンテンツ１２１を記録する（Ｓ１５）。Ｓ１５では、外部ＨＤＤ１０１のデータ領域Ｄにおいて、記録制御処理部３８の処理により、ＳＱＶ管理領域Ｋに記録された格納位置に、ＳＱＶ形式コンテンツ１２２を記録する。
【００８４】
Ｓ１１からＳ１５の処理が、ＳＱＶ処理部３６の処理を構成する。
【００８５】
図５は、実施形態に関わる、記録装置１の形式変換処理の流れを示すフローチャートである。図６は、実施形態に関わる、記録装置１のＰＶＲ形式コンテンツ一覧の表示例を示す図である。図７は、実施形態に関わる、記録装置１の形式変換処理の確認メッセージ例を示す図である。図８は、実施形態に関わる、記録装置１の形式変換処理の確認メッセージ例を示す図である。
【００８６】
形式変換処理部３７について説明をする。
【００８７】
ユーザが、操作部６１を介し、形式変換処理の指示入力をすると、制御部３１は、ＲＯＭ３３から形式変換処理部３７のプログラムを読み込み、形式変換処理を開始する。
【００８８】
制御部３１は、外部ＨＤＤ１０１が、テレビジョン受信機２に登録されているか否かを判定する（Ｓ２１）。外部ＨＤＤ１０１が、テレビジョン受信機２専用機として登録されているとき、処理はＳ２２に進む。外部ＨＤＤ１０１が登録されていないとき、処理は終了する。
【００８９】
制御部３１は、処理対象のＰＶＲ形式コンテンツ１２１をユーザに入力させる（Ｓ２２）。具体的には、Ｓ２２では、ＰＶＲ形式コンテンツ一覧を映像表示器４５に表示させ、ユーザに対し、処理対象のＰＶＲ形式コンテンツ１２１を選択入力させ、入力内容の確認をさせる。
【００９０】
図６は、Ｓ２２で表示されるＰＶＲ形式コンテンツ一覧の表示例である。図６の映像コンテンツ一覧に表示される番組は、全てＰＶＲ形式コンテンツ１２１である。図６では、１０月２７日水曜日に録画された、番組１と、番組３から番組７とが表示されている。
【００９１】
図７は、Ｓ２２で表示される確認メッセージ例を示す図である。ユーザが、図６に例示されるＰＶＲ形式コンテンツ一覧から、処理対象のＰＶＲ形式コンテンツ１２１を選択して入力すると、制御部３１は、図７に例示すような確認メッセージを映像表示器４５に表示させる。確認メッセージには、ＰＶＲ形式コンテンツ１２１をＳＱＶ形式コンテンツ１２２に変換することの確認を促すメッセージが含まれる。確認メッセージには、ダビング元番組の削除の有無を問い合わせるメッセージが含まれ、ユーザは、チェックボックスにチェックすることにより、ダビング元番組の削除を指示入力することが可能である。
【００９２】
図８は、Ｓ２２で表示される確認メッセージ例を示す図である。制御部３１は、図８に例示すように、記録元の録画装置と、記録先の録画装置と、選択した番組をコピーすることの確認メッセージを、映像表示器４５に表示させる。なお、図８は、「コピー」の確認メッセージ例であるが、ユーザにより、ダビング元番組の削除が指示入力されているときは、「コピー」ではなく「ムーブ」の確認メッセージが表示される。
【００９３】
制御部３１は、外部ＨＤＤ１０１から、処理対象のＰＶＲ形式コンテンツ１２１を取得する（Ｓ２３）。Ｓ２３では、制御部３１は、記録制御処理部３８の処理により、外部ＨＤＤ１０１のＰＶＲコンテンツ管理領域１１１から、ＰＶＲ形式コンテンツ１２１に関する、番組名と記録日を取得する。続いて、制御部３１は、ＰＶＲコンテンツ管理領域１１１のＰＶＲ管理情報を参照し、ＰＶＲ管理情報に記録されたデータ領域Ｄの格納位置からＰＶＲ形式コンテンツ１２１を取得する。
【００９４】
制御部３１は、ＰＶＲ形式コンテンツ１２１のダビング１０情報を取得し、コピー又はムーブの回数が残されているか否かをチェックする（Ｓ２４）。Ｓ２４では、制御部３１は、記録制御処理部３８の処理により、外部ＨＤＤ１０１の所定領域から、ＰＶＲ形式コンテンツ１２１のダビング１０情報を取得し、コピー又はムーブの回数が残されているか否かをチェックする。コピー又はムーブの回数が残されていなければ、処理は終了する。
【００９５】
制御部３１は、ＰＶＲ形式コンテンツ１２１をＳＱＶ形式コンテンツ１２２に変換する（Ｓ２５）。
【００９６】
ＳＱＶ付加情報１３２をＳＱＶ形式コンテンツ１２２に付加する（Ｓ２６）。
【００９７】
制御部３１は、外部ＨＤＤ１０１のＳＱＶコンテンツ管理領域１１２に、ＳＱＶ形式コンテンツ１２２のＳＱＶ管理情報を記録する（Ｓ２７）。Ｓ２７では、制御部３１は、記録制御処理部３８の処理により、ＳＱＶコンテンツ管理領域１１２に、ＳＱＶ形式コンテンツ１２２に関する、番組名、記録日及びデータ領域Ｄにおける格納位置を示す情報を記録する。
【００９８】
制御部３１は、外部ＨＤＤ１０１にＳＱＶ形式コンテンツ１２２を記録する（Ｓ２８）。Ｓ２８では、記録制御処理部３８の処理により、外部ＨＤＤ１０１のデータ領域Ｄにおいて、ＳＱＶコンテンツ管理領域１１２に記録された格納位置に、ＳＱＶ形式コンテンツ１２２を記録する。
【００９９】
制御部３１は、ＰＶＲ形式コンテンツ１２１のコピープロテクト情報を更新する（Ｓ２９）。Ｓ２９では、ＰＶＲ形式コンテンツ１２１のダビング１０情報について、コピー回数を１だけ減算させ、記録制御処理部３８の処理により、外部ＨＤＤ１０１の所定領域に、ダビング１０のコピープロテクト情報を記録する。
【０１００】
なお、実施形態は「コピー」の処理をしているが、「ムーブ」の場合、処理後、ＰＶＲ形式コンテンツ１２１は、外部ＨＤＤ１０１から削除される。
【０１０１】
図９は、実施形態に関わる、記録装置１の形式変換処理の処理画面例を示す図である。
【０１０２】
Ｓ２３からＳ２９の処理中、制御部３１は、図９に示す処理画面を表示させる。制御部３１は、処理画面に、処理の進捗状況を示すプログレスバーＰを表示させ、処理の進捗度に応じてプログレスバーＰを変化させる。
【０１０３】
図１０は、実施形態に関わる、記録装置１の形式変換処理の確認メッセージ例を示す図である。
【０１０４】
Ｓ２３からＳ２９の処理中、ユーザは、操作部６１を介し、処理中止の指示入力をすることが可能である。ユーザから処理を中止させるための指示入力があると、制御部３１は、図１０に示す確認メッセージを、映像表示器４５に表示させる。確認メッセージに対し、ユーザが、さらに処理を中止させるための指示「はい」を入力すると、制御部３１は、形式変換処理を中止し、外部ＨＤＤ１０１を形式変換処理前の状態に戻す。
【０１０５】
Ｓ２１からＳ２９の処理が、形式変換処理部３７の処理を構成する。
【０１０６】
これにより、ＰＶＲ形式コンテンツ１２１を、ＳＱＶ形式コンテンツ１２２に変換して記録することができ、１つの映像コンテンツを、ＰＶＲ形式とＳＱＶ形式の両方の形式により、外部ＨＤＤ１０１に記録させることが可能である。
【０１０７】
図１１は、実施形態に関わる、記録装置１の映像コンテンツ一覧の表示処理の流れを示すフローチャートである。図１２は、実施形態に関わる、記録装置１の映像コンテンツ一覧の表示例を示す図である。
【０１０８】
映像コンテンツ一覧の表示処理について説明をする。
【０１０９】
ユーザが、操作部６１により、映像コンテンツ一覧表示の指示入力をすると、制御部３１は、ＲＯＭ３３から映像コンテンツ一覧の表示処理のプログラムを読み込み、映像コンテンツ一覧の表示処理を開始する。
【０１１０】
制御部３１は、使用するＨＤＤをユーザに選択入力させる（Ｓ３１）。Ｓ３１では、使用可能であるＨＤＤの一覧を映像表示器４５に表示させ、ＨＤＤの一覧の中から使用するＨＤＤをユーザに選択入力させる。
【０１１１】
制御部３１は、外部ＨＤＤ１０１の管理領域Ｋから映像コンテンツ一覧を作成すための情報を取得する（Ｓ３２）。Ｓ３２では、制御部３１は、外部ＨＤＤ１０１のＳＱＶコンテンツ管理領域１１２からＳＱＶ認証情報を取得する。ＳＱＶ認証情報により、外部ＨＤＤ１０１がＳＱＶ対応機器であることが認証されると、制御部３１は、ＳＱＶコンテンツ管理領域１１２から、ＳＱＶ形式コンテンツ１２２関する、番組名と記録日を含む情報を取得する。なお、外部ＨＤＤ１０１がテレビジョン受信機２にバインドされていなくとも、外部ＨＤＤ１０１におけるＳＱＶ形式コンテンツ１２２の読取りと書込みは可能である。
【０１１２】
また、制御部３１は、ＰＶＲコンテンツ管理領域１１１からバインド機器情報を取得する。バインド機器情報により、外部ＨＤＤ１０１がテレビジョン受信機２にバインドされていることが検知されると、制御部３１は、ＰＶＲコンテンツ管理領域１１１から、ＰＶＲ形式コンテンツ１２１関する、番組名、記録日を含む情報を取得する。なお、外部ＨＤＤ１０１がテレビジョン受信機２にバインドされていないとき、外部ＨＤＤ１０１におけるＰＶＲ形式コンテンツ１２１の読取りと書込みはできない。
【０１１３】
制御部３１は、映像コンテンツ一覧情報を生成し、映像表示器４５に表示させる（Ｓ３３）。Ｓ３３では、外部ＨＤＤ１０１の管理領域Ｋから番組名と、記録日とを含んだ情報を取得し、映像コンテンツ一覧情報を生成し、映像表示器４５に表示させる。
【０１１４】
図１２は、映像コンテンツ一覧の表示例である。映像コンテンツ一覧は、上段に、タブ名「すべて」「未視聴」「曜日別」「ジャンル別」「連ドラ別」「マイフォルダ別」が横方向に配列され、タブを選択することにより、所定の抽出条件により抽出された映像コンテンツ情報を表示可能である。タブ名の下方には、番組名と、記録日と、アイコンとを横方向に配置した映像コンテンツ情報が、縦方向に複数配列される。映像コンテンツ一覧の左上部には、選択された外部ＨＤＤ１０１の情報が表示される。映像コンテンツ一覧の左下部には、選択された映像コンテンツの詳細が表示される。映像コンテンツ情報には、ＰＶＲ形式コンテンツ１２１と、ＳＱＶ形式コンテンツ１２２を容易に識別できるように、識別記号であるアイコンが付加される。
【０１１５】
より具体的に、図１２では、タブ名「すべて」が選択され、それぞれ１０月２７日水曜日に録画された番組１から番組５が表示されている。番組１は、アイコン「Ａ」が付加されるＳＱＶ形式コンテンツ１２２と、アイコンが付加されないＰＶＲ形式コンテンツ１２１とが上下２段で表示されている。番組２は、アイコン「Ａ」が付加されるＳＱＶ形式コンテンツ１２２のみが表示されている。番組３と番組５は、アイコンが付加されないＰＶＲ形式コンテンツ１２１のみが表示されている。番組４は、アイコン「Ｂ」が付加される４ＫのＰＶＲ形式コンテンツが表示されている。番組１から３については、新規に録画されたことを示す「ＮＥＷ」アイコンが付加されている。映像コンテンツ一覧の左上部には、外部ＨＤＤ１０１がＩ／Ｆ部５１の「ＵＳＢ２」に接続されていることが示され、「ＳｅｅＱＶａｕｌｔ」の文字により外部ＨＤＤ１０１がＳＱＶ対応機器であることが示され、外部ＨＤＤ１０１の名前が「ハードディスク３」であることが示されている。映像コンテンツ一覧の左下部には、選択された映像コンテンツについて、番組名が番組１であり、記録日が２０１０年１０月２７日であり、アイコン「Ａ」と「ＳｅｅＱＶａｕｌｔ」の文字により、ＳＱＶ形式コンテンツ１２２であることが示されている。
【０１１６】
Ｓ３１からＳ３３の処理が、映像コンテンツ一覧の表示処理を構成する。
【０１１７】
これにより、記録装置１は、ＰＶＲ形式コンテンツ１２１とＳＱＶ形式コンテンツ１２２とを含む一覧表を映像表示器４５に表示可能である。
【０１１８】
外部ＨＤＤ１０１に記録されたＰＶＲ形式コンテンツ１２１は、バインドされたテレビジョン受信機２により再生可能である。外部ＨＤＤ１０１に記録されたＳＱＶ形式コンテンツ１２２は、テレビジョン受信機２、又は、ＳＱＶに対応する他の映像機器により再生可能である。
【０１１９】
上述の実施形態によれば、映像機器にバインドされるコンテンツと、映像機器にバインドされないコンテンツとを、１つの記録装置に記録可能であり、複数の記録装置の使い分けを要さない記録装置１及び記録方法を提供できる。
【０１２０】
なお、実施形態では、外部記録媒体は、外部ＨＤＤ１０１により構成されるが、外部記録媒体は、外部ＨＤＤ１０１に限られず、メモリカード、ＳＳＤ（Ｓｏｌｉｄ  Ｓｔａｔｅ  Ｄｒｉｖｅ）等の読取り又は書込みが可能である外部記録媒体であれば、どのようなものでも構わない。
【０１２１】
なお、実施形態では、制御部３１の各処理部の機能は、プログラムを実行することにより実現されるが、各処理部の一部又は全部の機能が、回路により実現されても構わない。
【０１２２】
なお、実施形態における映像表示器４５の表示例は、一例として挙げたものであり、実施形態及び図面に開示された表示例に限られるものではない。
【０１２３】
本発明の実施形態を説明したが、これらの実施形態は、例として示したものであり、本発明の範囲を限定することは意図していない。これら新規の実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２４】
１…記録装置、２…テレビジョン受信機、３…ハードディスク、３ａ…デジタル放送受信用アンテナ、３ｂ…地上波放送受信用アンテナ、４…リモートコントローラ、１１…放送受信部、１２ａ，１２ｂ…入力端子、１３ａ，１３ｂ…チューナ、１４ａ…ＰＳＫ復調器、１４ｂ…ＯＦＤＭ復調器、１５ａ，１５ｂ…ＴＳ復号器、２１…信号処理部、３１…制御部、３２…ＣＰＵ、３３…ＲＯＭ、３４…ＲＡＭ、３５…ＰＶＲ処理部、３６…ＳＱＶ処理部、３７…形式変換処理部、３８…記録制御処理部、４１…映像音声出力部、４２…信号生成部、４３…グラフィック処理部、４４…映像処理部、４５…映像表示器、４６…音声処理部、４７…スピーカ、５１…Ｉ／Ｆ部、６１…操作部、１０１…外部ＨＤＤ、１１１…ＰＶＲコンテンツ管理領域、１１２…ＳＱＶコンテンツ管理領域、１２１…ＰＶＲ形式コンテンツ、１２２…ＳＱＶ形式コンテンツ、１３１，１３２…付加情報、Ｋ…管理領域、Ｄ…データ領域、Ｐ…プログレスバー。
【図１】
2017021879.tif 000003
【図２】
2017021879.tif 000004
【図３】
2017021879.tif 000005
【図４】
2017021879.tif 000006
【図５】
2017021879.tif 000007
【図６】
2017021879.tif 000008
【図７】
2017021879.tif 000009
【図８】
2017021879.tif 000010
【図９】
2017021879.tif 000011
【図１０】
2017021879.tif 000012
【図１１】
2017021879.tif 000013
【図１２】
2017021879.tif 000014